(57)【特許請求の範囲】
【請求項１】
１個の物理チャンネルが割り当てられた放送電波の中で複数のサービスを配信する番組を受信可能な、少なくとも入出力装置を備えたデジタル放送受信機であって、
受信したＲＦ帯の信号をトランスポートストリーム信号に変換する受信復調手段と、
複数の地域で受信したサービスの中に同一サービスが存在するか否かを判定し、存在する場合に、前記トランスポートストリーム信号に含まれる識別情報から地域判別を行い、前記地域毎かつ前記サービス毎に前記物理チャンネルをマージしてサービスリストを生成し、前記生成したサービスリストを前記入出力装置に表示して視聴者に選択入力を促す制御手段とを備え、
前記制御手段は、任意の地域において複数の前記物理チャンネルがマージされた前記サービスの視聴が要求された場合、前記物理チャンネル毎の受信時間の履歴に基づき付与された優先度順にしたがい、前記任意の地域において前記サービスを配信する前記物理チャンネルをサーチする
ことを特徴とするデジタル放送受信機。
【請求項２】
前記制御手段は、前記識別情報に含まれる、一つの地域の中で規定されたサービスの番号に関する情報を参照して前記同一サービスの有無を判定することを特徴とする請求項１記載のデジタル放送受信機。
【請求項３】
前記制御手段は、前記識別情報に含まれる、トランスポートストリーム識別情報と、サービス識別情報と、サービス形態に関する情報と、を参照して前記同一サービスの有無を判定することを特徴とする請求項１記載のデジタル放送受信機。
【請求項４】
前記制御手段は、前記識別情報に含まれる、サービス名に関する情報を参照して前記同一サービスの有無を判定することを特徴とする請求項１記載のデジタル放送受信機。
【請求項５】
前記制御手段は、任意の地域において複数の前記物理チャンネルがマージされた前記サービスの受信ができなくなった場合、前記物理チャンネル毎の受信時間の履歴に基づき付与された優先度順にしたがい、前記任意の地域において前記サービスを配信する他の前記物理チャンネルをサーチすることを特徴とする請求項１記載のデジタル放送受信機。
【請求項６】
前記制御手段は、前記優先度順にしたがって前記物理チャンネルをサーチする際、所定時間継続して受信可能であった物理チャンネルがあれば、該物理チャンネルを受信対象として自動的に選択することを特徴とする請求項１または請求項５記載のデジタル放送受信機。
【発明の詳細な説明】
【技術分野】
【０００１】
本発明は、１個の物理チャンネルが割り当てられた放送電波の中で複数のサービスが配信する番組を受信可能な、特に、車両に用いて好適なデジタル放送受信機に関する。
【背景技術】
【０００２】
欧州を中心に世界的に運用されている地上波デジタル放送規格（ＤＶＢ−Ｔ：Digital Video Broadcasting- Terrestrial）は、日本の地上波デジタル放送規格（ＩＳＤＢ−Ｔ：Integrated Services Digital Broadcasting-Terrestrial）とは異なり、一個の物理チャンネルの送信電波の中で複数のサービス（放送局）が映像を配信している。
【０００３】
また、一個の国でも地域によってはサービス（放送局）の物理チャンネルが異なる。このため、移動体用のＤＶＢ−Ｔ受信機を車両等の移動体で使用した場合、ユーザがチャンネルスキャンによりサービスの登録を行うと、例えば、図７（ｂ）に示されるように、異なる物理チャンネルで同一のサービスが多く存在し、このため、登録されたサービスリストが見づらくなる。
欧州では特に国間の往来が激しいため、同じＤＶＢ−Ｔ規格を採用している関係で物理チャンネルの登録数はさらに多くなり、したがって、ユーザが滞在国で受信可能なサービスをリスト上から選択するのが困難であり、特に視認性の面で使い勝手が悪かった。なお、図７（ｂ）に示す画面では、フランスで受信したサービス（放送局）と、ドイツで受信したサービス（放送局）とを太実線で分離して示してある。
【０００４】
これに対し、例えば、特許文献１には、モニタ上の限られた表示領域を有効利用してＥＰＧ（電子番組表）をマージしてモニタ表示する技術が開示されている。また、特許文献２には、同じ放送局が放送している同一番組については１つの行に纏めて表示することで番組一覧表示の情報量を多くする技術が開示されている。
【先行技術文献】
【特許文献】
【０００５】
【特許文献１】特開２００４−１３５１６６号公報
【特許文献２】特開２００７−１３５６２号公報
【発明の概要】
【発明が解決しようとする課題】
【０００６】
上記した特許文献１、２に開示された技術によれば、電子番組表がマージされ容量が限られた画面上に表示されるため、視認性が好くなり視聴者はチャンネル選択が容易になる。しかしながらいずれも放送に多重されて送信される電子番組表を扱うものであり、したがって、チャンネルスキャンおよびサービスの登録を行いながらサービスリストを作成する移動体向けのＤＶＢ−Ｔの規格に適応したデジタル放送受信機にはなじまない。
【０００７】
本発明は上記した課題を解決するためになされたものであり、移動体向けのＤＶＢ−Ｔの規格に適応したサービスリストの表示形態を工夫することで使い勝手の向上をはかったデジタル放送受信機を提供することを目的とする。
【課題を解決するための手段】
【０００８】
上記した課題を解決するために本発明は、１個の物理チャンネルが割り当てられた放送電波の中で複数のサービスを配信する番組を受信可能な、少なくとも入出力装置を備えたデジタル放送受信機であって、受信したＲＦ帯の信号をトランスポートストリーム信号に変換する受信復調手段と、複数の地域で受信したサービスの中に同一サービスが存在するか否かを判定し、存在する場合に、前記トランスポートストリーム信号に含まれる識別情報から地域判別を行い、前記地域毎かつ前記サービス毎に前記物理チャンネルをマージしてサービスリストを生成し、前記生成したサービスリストを前記入出力装置に表示して視聴者に選択入力を促す制御手段とを備え、前記制御手段は、任意の地域において複数の前記物理チャンネルがマージされた前記サービスの視聴が要求された場合、前記物理チャンネル毎の受信時間の履歴に基づき付与された優先度順にしたがい、前記任意の地域において前記サービスを配信する前記物理チャンネルをサーチするものである。
【発明の効果】
【０００９】
本発明によれば、移動体向けのＤＶＢ−Ｔの規格に適応したサービスリストの表示形態を工夫することで使い勝手の向上をはかったデジタル放送受信機を提供することができる。
【図面の簡単な説明】
【００１０】
【図１】本発明の実施の形態１に係るデジタル放送受信機の内部構成を示すブロック図である。
【図２】本発明の実施の形態１に係るデジタル放送受信機が生成するＭＰＥＧ−ＴＳ信号のパケットフォーマットを示す図である。
【図３】本発明の実施の形態１に係るデジタル放送受信機が生成するＭＰＥＧ−ＴＳ信号に含まれるカントリコードと国との対応関係を表形式で示した図である。
【図４】本発明の実施の形態１に係るデジタル放送受信機の基本動作を示すフローチャートである。
【図５】本発明の実施の形態１に係るデジタル放送受信機のチャンネルスキャン動作を示すフローチャートである。
【図６】本発明の実施の形態２に係るデジタル放送受信機の基本動作を示すフローチャートである。
【図７】本発明の実施の形態１に係るデジタル放送受信機により生成されるサービスリストの表示形態の一例を従来例と対比して示した図である。
【発明を実施するための形態】
【００１１】
以下、本発明の実施の形態について図面を参照しながら詳細に説明する。
実施の形態１．
図１は、本発明の実施の形態１に係るデジタル放送受信機の内部構成を示すブロック図である。
図１に示されるように、本発明の実施の形態１に係るデジタル放送受信機１は、アンテナ部１１と、フロントエンド部１２と、ＭＰＥＧ（Moving Picture Experts Group）デコーダ部１３と、メモリ部１４と、制御部１５と、リモコン受光部１６と、グラフィック制御部１７と、ディスプレイ１８と、により構成される。
【００１２】
図１において、アンテナ部１１は、ＲＦ帯（ここではＵＨＦ：Ultra High FrequencyとＶＨＦ：Very High Frequency）のＤＶＢ−Ｔによる地上波ディジタルテレビ放送を受信してフロントエンド部１２に供給し、フロントエンド部１２は、これをＩＦ（中間周波数）レベルにダウンコンバートし、内蔵するＯＦＤＭ（Orthogonal Frequency Division Multiplex）復調器でＯＦＤＭ復調を行い、ＭＰＥＧ−ＴＳ（Transport Streaming）信号を生成し、ＭＰＥＧデコーダ部１３へ供給する。
【００１３】
ＭＰＥＧデコーダ部１３は、ＴＳデコーダ１３１と、ＡＶエンコーダ１３２と、ＩＤ情報抽出部１３３と、を含む。
ＴＳデコーダ１３１は、入力されるＭＰＥＧ−ＴＳ信号に含まれる映像・音声データとＩＤ情報とを分離し、映像・音声データをＡＶエンコーダ１３２に、ＩＤ情報をＩＤ情報抽出部１３３に引き渡す。ＡＶエンコーダ１３２は、入力された映像・音声データから映像・音声信号を生成してディスプレイ１８へ出力し、ＩＤ情報抽出部１３３は、ＴＳデコーダ１３１から取得したＩＤ情報を制御部１５に出力する。
【００１４】
メモリ部１４には、制御部１５により生成されるサービスリストの他、ＩＤ情報抽出部１３３により取得されるサービスのＩＤ情報と、視聴中のサービスの受信時間が履歴として記憶される。なお、この履歴の中には制御部１５により監視される物理チャンネル毎の受信時間に基づき優先度が付与されている。受信時間が長いほど優先順位が高くなっている。
【００１５】
制御部１５は、複数の地域（ここでは国）で受信したサービスの中に同一サービスがあるか否かを判定し、ある場合に、国またはサービス毎に物理チャンネルをマージしてサービスリストを生成し、ここで生成したサービスリストを、グラフィック制御部１７、ＡＶエンコーダ１３２経由でディスプレイ１８に表示して不図示のリモコンによる視聴者の選択入力を促す機能を有する。
制御部１５はまた、例えば、移動に伴う受信環境によりサービスの受信ができなくなった場合、メモリ部１４に保存される物理チャンネル毎の受信時間の履歴に基づき付与された優先度順にしたがい物理チャンネルを自動でチャンネルスキャンする機能も有する。
【００１６】
このため、制御部１５は、国判別処理部１５１と、同一サービス判別処理部１５２と、ソート処理部１５３と、操作処理部１５４と、選局処理部１５５とを含む。
【００１７】
国判別処理部１５１は、ＩＤ情報抽出部１３３により出力される国コードから国判別を行い、同一サービス判別処理部１５２は、ＩＤ情報抽出部１３３により出力されるＩＤ情報から同一サービスの有無を判定する。
同一サービス判別処理部１５２による同一サービス有無の判定にあたり、ＩＤ情報に含まれる、一つの地域の中で規定されたサービスの番号に関する情報（ＬＣＮ：Logical Channel Number）、もしくは、ＴＳ識別情報（TS_ID）とサービス識別情報（service_ID）とサービス形態に関する情報（service_type）と、を参照することとする。なお、サービス名（service_name）を参照してもよい。いずれも詳細は後述する。
【００１８】
ソート処理部１５３は、国判別処理部１５１と同一サービス判別処理部１５２から出力される情報から、国またはサービス毎に物理チャンネルをマージしてサービスリストを生成しグラフィック制御部１７へ供給する。
操作処理部１５４は、ディスプレイ１８に表示されたサービスリストを閲覧した視聴者が不図示のリモコンを操作することにより発せられる物理チャンネルの選択指示を、リモコン受光部１６を介して取り込み、操作処理部１５４に供給する。また、選局処理部１５５は、選択指示された物理チャンネルに応じてフロントエンド部１２の局部発振周波数を制御してサーチ（チャンネルスキャン）を行う。
【００１９】
グラフィック制御部１７は、ソート処理部１５３により出力されるサービスリストを、例えば、図７（ａ）に示すサービスリスト画面情報に変換し、ＭＰＥＧデコーダ部１３のＡＶエンコーダ１３２経由でＬＣＤ（Liquid Crystal Display Device）等の表示素子からなるディスプレイ１８に映像、音声信号として出力する。
【００２０】
なお、上記した構成において、制御部１５は、「複数の地域で受信したサービスの中に同一サービスがあるか否かを判定し、ある場合に前記地域または前記サービス毎に前記物理チャンネルをマージしてサービスリストを生成し、前記生成したサービスリストを前記入出力装置に表示して視聴者に選択入力を促す制御手段」として、また、不図示のリモコンとディスプレイ１８とが上記した「入力装置」として、また、フロントエンド部１２は、「アンテナを介して受信したＲＦ帯の信号を中間周波数レベルにダウンコンバートしてトランスポートストリーム信号に変換する受信復調手段」としてそれぞれ機能する。
【００２１】
図２は、本発明の実施の形態１に係るデジタル放送受信機１が生成するＭＰＥＧ−ＴＳ信号のパケットフォーマットの一例を示す図である。
ＭＰＥＧ−ＴＳ信号は、ＴＳパケットと呼ばれる１８８バイト固定長のＴＳパケット１０に分割され送信される。図２に示されるように、各ＴＳパケット１０は、ＴＳヘッダ部分１０１と、ペイロード部分１０２とにより構成される。
【００２２】
ＴＳヘッダ部分１０１には、パケット識別子（ＰＩＤ）と呼ばれる１３ビットの情報が含まれ、ここに各ＴＳパケット１０のそれぞれが何を伝送しているかを示す情報が設定される。同一の画像、同一の音声は同じＰＩＤを持つ。また、ＴＳヘッダ部分１０１には、後述するＬＣＮデータが存在するか否かの情報も含まれている。
【００２３】
本発明の実施の形態１に係るデジタル放送受信機１において、チャンネルスキャンおよびサービス登録を行う際、制御部１５は、各サービス（放送局）のＴＳパケット１０から国判別を行い、ディスプレイ１８にサービスリストを表示する。
このとき、国判別は、ＴＳパケット１０のペイロード部分１０２に含まれるＴＯＴ（Time Offset Table）のLocal time offset descriptorから国コード（country code）を取得してその放送局が運用している国を識別する。ここで、国コードは２４ビットのデータ長で構成され、８ビット毎のアスキーコード３文字のアルファベットが記述されており、そのアルファベット３文字は、ＩＳＯ３１６６−１の国名コードで規定されているため、制御部１５は、例えば、図３に示す表を索引することによって国識別が可能である。
【００２４】
制御部１５は、上記のように国を判別した後、サービス登録を行う際、ＩＤ情報の中から、後述する特定のＩＤ情報から同一サービスを判別する。
同一サービスの判別には、一つの国の中で決められたサービスの番号を示すＬＣＮ（Logical Channel Number）を参照する。ＬＣＮは、ＴＳパケット１０のペイロード部分１０２に含まれるＮＩＴ（Network Information table）のdescriptorで示され、例えば、英国ＢＢＣ ＮＥＷＳ２４は“０ｘ０５０”である。図２に示されるように、ＴＳパケット１０内に複数のサービス（放送局）があり、サービスの数だけＩＤ情報（ＬＣＮ＃１〜＃３）が存在する。
【００２５】
また、ＴＳ_ＩＤと、放送局の識別子であるサービスＩＤ（service_ID）と、テレビ、ラジオ等の放送形態を示すサービスタイプ（service_type）とを参照してもよい。ＴＳ_ＩＤならびにサービスＩＤ＃１〜＃３は、ＴＳパケットのペイロード部分１０２に含まれるＮＩＴに示され、サービスタイプ（service_type）は、ＳＤＴ（Service Description table）に示されている。
なお、ＴＳ_ＩＤは、同一国内で同一サービスが存在するとき同じ場合が多いため使用するが、必ずしも存在しないため、ここでは、サービスＩＤとサービスタイプも合わせて参照することとする。
【００２６】
図４は、本発明の実施の形態１に係るデジタル放送受信機１の基本動作を示すフローチャートである。
以下、図４のフローチャートを参照しながら、図１に示す本発明の実施の形態１に係るデジタル放送受信機１の基本動作について詳細に説明する。
【００２７】
まず、制御部１５は、選局処理部１５５がフロントエンド部１２を制御してチャンネルスキャンを実行する（ステップＳＴ４０１）。チャンネルスキャンによりＴＳパケット１０が供給されるＭＰＥＧデコーダ部１３は、受信電界強度あるいは復号エラー等の測定により放送を受信できるか否かを判定し（ステップＳＴ４０２）、受信できれば（ステップＳＴ４０２“ＹＥＳ”）、ＴＳデコーダ１３１は、ＩＤ情報抽出部１３３を介してＩＤ情報を抽出し、制御部１５の国判別処理部１５１と、同一サービス判別処理部１５２に供給する（ステップＳＴ４０３）。
【００２８】
制御部１５では、まず、国判別処理部１５１が、ＴＳパケット１０のペイロード部分１０２に含まれるＴＯＴのLocal time offset descriptorから国コードを取得してその放送局が運用している国を判別する（ステップＳＴ４０４）。
一方、同一サービス判別処理部１５２は、国判別処理部１５１による国判別後、移動中の該当国のサービス登録がゼロでないことを確認し（ステップＳＴ４０５“ＮＯ”）、かつ、ＴＳパケット１０のＴＳヘッダ部分１０１を参照してＬＣＮの存在が確認されると（ステップＳＴ４０６“ＹＥＳ”）、ＴＳパケット１０のペイロード部分１０２に含まれるＮＩＴのdescriptorで示されるＬＣＮ値を取得して一致するか否かを判定する（ステップＳＴ４０７）。
【００２９】
ＬＣＮが存在しないことが確認された場合（ステップＳＴ４０６“ＮＯ”）、同一サービス判別処理部１５２は、更に、ＴＳパケット１０のペイロード部分１０２に含まれるＮＩＴのＴＳ_ＩＤと、サービスＩＤ（service_ID）と、ＳＤＴのサービスタイプ（service_type）とを参照して、一致の有無を判定する（ステップＳＴ４０８）。
ステップＳＴ４０７、ＳＴ４０８の判定処理のいずれかで一致判定がなされると、同一サービス判別処理部１５２は、同一サービス（放送局）であると判断し、同じサービス（放送局）を同一のサービスリストにマージするためにソート処理部１５３を起動する。これをうけたソート処理部１５３は、国またはサービス毎に物理チャンネルをマージしてサービスリストに追加する（ステップＳＴ４０９）。
【００３０】
なお、ステップＳＴ４０５において、サービス登録がゼロであると判定された場合（ステップＳＴ４０５“ＹＥＳ”）、ソート処理部１５３は、国判別処理部１５１による国判別処理後、上記した同一サービス判別処理を省略して新サービスとしてサービスリストに追加する（ステップＳＴ４１０）。
次に、未処理の物理チャンネルがあれば（ステップＳＴ４１１“ＮＯ”）、選局処理部１５５による制御の下でフロントエンド部１２によりチャンネルスキャンのための物理チャンネルの切り換えが行われ（ステップＳＴ４１２）、上記した一連の処理が全ての物理チャンネル分だけ繰り返し実行される（ステップＳＴ４０２〜ＳＴ４１０）。
【００３１】
最後に、全ての物理チャンネル分の実行が終了したことを契機に（ステップＳＴ４１１“ＹＥＳ”）、ソート処理部１５３は、国あるいはサービス毎にマージして生成したサービスリストをグラフィック制御部１７へ供給し、グラフィック制御部１７は、このサービスリストを、例えば図７（ａ）に示す表示形態に変換してディスプレイ１８に表示して視聴者に物理チャンネルがマージされた番号（Ｎｏ．）の選択入力を促す（ステップＳＴ４１３）。
【００３２】
図５は、本発明の実施の形態１に係るデジタル放送受信機１のチャンネルスキャン動作を示すフローチャートである。
以下、図５のフローチャートを参照しながら、図１に示す本発明の実施の形態１に係るデジタル放送受信機１のチャンネルスキャン動作について詳細に説明する。
【００３３】
ここでは、車両移動中、視聴者が図７（ａ）に示すサービスリストを閲覧して不図示のリモコンを操作することにより、国別に列挙された番号（Ｎｏ．）を選択して物理チャンネルがマージされたサービス（放送局）の番組を視聴するものとする。
図５において、制御部１５の選局処理部１５５は、まず、リモコン受光部１６を介して受光された信号がマージされたサービスの視聴要求であるか否かを判定し（ステップＳＴ５０１）、ここで、マージされたサービスの視聴であると判定された場合（ステップＳＴ５０１“ＹＥＳ”）、選局処理部１５５は、メモリ部１４を参照して過去に一番長く受信していた物理チャンネル番号を取得し、その物理チャンネル番号を選択してフロントエンド部１２にサーチ指示を発行し、これを受けたフロントエンド部１２は、その物理チャンネル番号に基づくチャンネルスキャンを実行する（ステップＳＴ５０２）。
【００３４】
ここで、所定時間だけ、所定値以上の受信電界強度を有し、所定値以下の復号エラー率を有し受信可能と判定された場合（ステップＳＴ５０３“ＹＥＳ”）、ＭＰＥＧデコーダ部１３は、ＴＳデコーダ１３１により分離抽出された映像・音声データをＡＶエンコーダ１３２により映像・音声信号に変換し、ディスプレイ１８にその映像・音声信号を出力する（ステップＳＴ５０６）。
一方、ステップＳＴ５０３で受信不可能と判定された場合（ステップＳＴ５０３“ＮＯ”）、選局処理部１５５は、マージされてある物理チャンネルの全ての選局（チャンネルスキャン）が終了したか否かを判定し（ステップＳＴ５０４）、未選局の物理チャンネルが残っていれば（ステップＳＴ５０４“ＮＯ”）、メモリ部１４から次に優先度が高い物理チャンネルを選択し、フロントエンド部１２を制御してチャンネルスキャン（選局）を実行する（ステップＳＴ５０５）。
【００３５】
なお、メモリ部１４には、制御部１５（選局処理部１５５）によって監視される物理チャンネル毎の受信時間の履歴に基づき付与された優先度情報が記憶されていることは上記したとおりである。
【００３６】
上記したように本発明の実施の形態１に係るデジタル放送受信機１によれば、制御手段（制御部１５）が、複数の地域（国）で受信したサービスの中に同一サービスがあるか否かを判定し、ある場合に地域またはサービス毎に物理チャンネルをマージしてサービスリストを生成し、ここで生成したサービスリストを表示して視聴者に選択入力を促すことにより、視聴者は、サービスリストの視認性が向上することから物理チャンネルの選択を容易に行うことができ、使い勝手の向上がはかれる。
但し、ここで、同一サービスがあるか否かの判定は、ＩＤ情報に含まれる、一つの地域の中で規定されたサービスの番号に関する情報（ＬＣＮ）か、ＩＤ情報に含まれる、トランスポートストリーム識別情報（TS_ID）と、サービス識別情報（service_ID）と、サービス形態に関する情報（service_type）を参照することによる。
【００３７】
また、本発明の実施の形態１に係るデジタル放送受信機１によれば、制御手段（制御部１５）が、サービスの受信ができなくなった場合、物理チャンネル毎の受信時間の履歴に基づき付与された優先度順にしたがい物理チャンネルをサーチすることにより、ソートされた物理チャンネルが自動的にチャンネルスキャンされるため性能向上が図れ、使用者はチャンネルスキャンの負荷が軽減されるとともに一層の使い勝手の向上がはかれる。
【００３８】
実施の形態２．
図６は、本発明の実施の形態２に係るデジタル放送受信機１の基本動作を示すフローチャートである。
上述した実施の形態１によれば、制御部１５の同一サービス判別処理部１５２は、ＴＳ信号のＩＤ情報に含まれる、一つの地域の中で規定されたサービスの番号に関する情報（ＬＣＮ）、あるいは、ＩＤ情報に含まれる、ＴＳ識別情報と、サービス識別情報と、サービス形態に関する情報と、を参照することにより、同一サービスの有無を判定することとしたが、以下に説明する実施の形態２では、ＩＤ情報に含まれるサービス名に関する情報を参照して同一サービスの有無を判定することとする。
【００３９】
以下、図６のフローチャートを参照して、本発明の実施の形態２に係るデジタル放送受信機１の動作について詳細に説明する。
なお、以下に説明する実施の形態２においても、上述した実施の形態１同様、図１に示す構成を使用するものとして説明する。
【００４０】
図６において、制御部１５の選局処理部１５５が、フロントエンド部１２を制御してチャンネルスキャンを実行してから、国判別処理部１５１がＴＳパケット１０のペイロード部分１０２に含まれるＴＯＴのLocal time offset descriptorから国コードを取得してその放送局が運用している国を判別するまでの処理（ステップＳＴ６０１〜ＳＴ６０４）は、図４に示した実施の形態１のステップＳＴ４０１〜ステップＳＴ４０４までの処理と同じであるため、重複説明を回避する意味でここでの説明は省略する。
【００４１】
次に、同一サービス判別処理部１５２は、国判別処理部１５１による国判別処理後、移動中の該当国のサービス登録がゼロでないことを確認し（ステップＳＴ６０５“ＮＯ”）、かつ、ＴＳパケット１０のペイロード部分１０２のＳＤＴに含まれるサービス名（service_name）が一致するか否かを判定する（ステップＳＴ６０６）。
ここで一致判定がなされると（ステップＳＴ６０６“ＹＥＳ”）、同一サービス判別処理部１５２は、同一サービス（放送局）であると判断し、同サービスを同一のサービスリストにマージするためにソート処理部１５３を起動し、これをうけたソート処理部１５３は、国またはサービス毎に物理チャンネルをマージしてサービスリストに追加する（ステップＳＴ６０７）。
【００４２】
なお、ステップＳＴ６０５において、任意の国のサービス登録がゼロであると判定された場合は（ステップＳＴ６０５“ＹＥＳ”）、国判別処理後、上記した同一サービス判別処理を省略して新サービスとしてサービスリストに追加する（ステップＳＴ６０８）。
続いて制御部１５は、未処理の物理チャンネルがあれば（ステップＳＴ６０９“ＮＯ”）、選局処理部１５５による制御の下、フロントエンド部１２によりチャンネル切り換えが行われ（ステップＳＴ６１０）、上記した一連の動作（ステップＳＴ６０２〜ＳＴ６０８）の動作を全ての物理チャンネル分だけ繰り返し実行する。
そして、全ての物理チャンネル分の実行が終了したことを契機に（ステップＳＴ６０９“ＹＥＳ”）、ソート処理部１５３は、国あるいはサービス毎にマージして生成したサービスリストをグラフィック制御部１７へ供給し、グラフィック制御部１７は、このサービスリストを例えば図７（ａ）に示す表示形態に変換してディスプレイ１８に表示して視聴者に選択入力を促す（ステップＳＴ６１１）。
【００４３】
なお、実施の形態２においても実施の形態１同様、制御部１５は、図５に示すフローチャートで示す手順にしたがい、サービスの受信ができなくなった場合に、物理チャンネル毎の受信時間の履歴に基づき付与された優先度順にしたがい物理チャンネルをサーチする。
【００４４】
上記した本発明の実施の形態２に係るデジタル放送受信機１によれば、制御手段（制御部１５）が、複数の地域（国）で受信したサービスの中に同一サービスがあるか否かを判定し、ある場合に地域またはサービス毎に物理チャンネルをマージしてサービスリストを生成し、ここで生成したサービスリストを表示して視聴者に選択入力を促すことにより、視聴者は、サービスリストの視認性が向上することから物理チャンネルの選択を容易に行うことができ、使い勝手の向上がはかれる。但し、同一サービスがあるか否かの判定は、ＴＳパケット１０のペイロード部分１０２のＳＤＴに含まれるサービス名（service_name）を参照することによる。
【００４５】
また、実施の形態１同様、制御手段（制御部１５）が、サービスの受信ができなくなった場合、物理チャンネル毎の受信時間の履歴に基づき付与された優先度順にしたがい物理チャンネルをサーチすることにより、ソートされた物理チャンネルが自動的にチャンネルスキャンされるため性能向上が図れ、使用者はチャンネルスキャンの負荷が軽減されるとともに一層の使い勝手の向上がはかれる。
【００４６】
なお、図１に示す制御部１５が有する機能は、全てをソフトウェアによって実現しても、あるいはその少なくとも一部をハードウェアで実現してもよい。
例えば、制御部１５が、複数の地域で受信したサービスの中に同一サービスがあるか否かを判定し、ある場合に地域またはサービス毎に物理チャンネルをマージしてサービスリストを生成し、ここで生成したサービスリストを入出力装置（ディスプレイ１８）に表示して視聴者に選択入力を促すデータ処理は、１または複数のプログラムによりコンピュータ上で実現してもよく、また、その少なくとも一部をハードウェアで実現してもよい。
【００４７】
この発明に係るデジタル放送受信機は、移動体向けのＤＶＢ−Ｔの規格に適応したサービスリストの表示形態を工夫することで操作性を向上できるため、車両搭載用のデジタル放送受信機等に用いるのに適している。
【図１】
0005465236.tif 000002
【図２】
0005465236.tif 000003
【図３】
0005465236.tif 000004
【図４】
0005465236.tif 000005
【図５】
0005465236.tif 000006
【図６】
0005465236.tif 000007
【図７】
0005465236.tif 000008